(57)【要約】【課題】  蓋体を容器から分離することなく、反転して本体に重ね合わせることを可能とする。【解決手段】  本体１の外周面の一部に設けた一対の支持片１１に、ヒンジ部材３の一対の側壁２１をピン４により支持し、ヒンジ部材３を開閉自在とする。ヒンジ部材３の内壁２５に形成した溝部２６に、フランジ部６を先端に有する蓋体２の軸部５を下方から押し込む。蓋体２を開くとヒンジ部材３が従動し、蓋体２を軸部５の軸線を中心に回転すると蓋体２が反転する。反転した蓋体２を本体１に重ね合わせる。【選択図】        図２
2008150120.tif 000002
【特許請求の範囲】
【請求項１】
本体と、該本体に対し蓋体を開閉自在とするヒンジ機構において、前記本体にヒンジ部材を開閉自在に設け、該ヒンジ部材に前記蓋体をその軸部を介して回転自在に連結し、前記蓋体を反転して前記本体上に重ね合わせることを可能としたことを特徴とするヒンジ機構。
【請求項２】
前記本体の外周面に突設した両支持部に前記ヒンジ部材の両側壁を軸支したことを特徴とする請求項１に記載のヒンジ機構。
【請求項３】
前記ヒンジ部材の内壁に設けた溝部に前記蓋体の前記軸部を圧入したことを特徴とする請求項２に記載のヒンジ機構。
【請求項４】
前記軸部の先端に設けたフランジ部を前記ヒンジ部材の内壁の内面側に位置させたことを特徴とする請求項２に記載のヒンジ機構。
【発明の詳細な説明】
【技術分野】
【０００１】
本発明は、容器等に用いるヒンジ機構に関するものである。
【背景技術】
【０００２】
例えば、１個の石鹸を収納する石鹸箱は、上部に開口を有して石鹸を収納する盆状の容器本体と、この容器本体とは別体で容器本体の上部に冠着する盆状の蓋体とから成っている。そして、石鹸を使用する際には、蓋体を容器本体から外し、容器本体の近傍に放置するか、容器本体の下側に重ね合わせている。
【発明の開示】
【発明が解決しようとする課題】
【０００３】
しかしながら、従来の石鹸箱は容器本体と蓋体が別体になっているので、蓋体を容器本体から外す際に落とすことがある。
【０００４】
本発明の目的は、蓋体を本体から分離することなく、更には反転して本体に重ね合わせることができるヒンジ機構を提供することにある。
【課題を解決するための手段】
【０００５】
上記目的を達成するための本発明に係るヒンジ機構は、本体と、該本体に対し蓋体を開閉自在とするヒンジ機構において、前記本体にヒンジ部材を開閉自在に設け、該ヒンジ部材に前記蓋体をその軸部を介して回転自在に連結し、前記蓋体を反転して前記本体上に重ね合わせることを可能としたことを特徴とする。
【発明の効果】
【０００６】
本発明に係るヒンジ機構によれば、本体にヒンジ部材を開閉自在に設け、このヒンジ部材に蓋体を軸部を介して反転自在に連結したので、蓋体を本体から分離することなく、反転して本体の上に重ね合わせることができる。
【発明を実施するための最良の形態】
【０００７】
本発明を図示の実施の形態に基づいて詳細に説明する。
図１は実施の形態の外観斜視図、図２は縦断面図、図３はヒンジ部Ａの拡大図、図４は錠止部Ｂの拡大図であり、この実施の形態に係る本体は、例えば１個の石鹸Ｓを収納し得るほぼ楕円形の石鹸箱とされている。この石鹸箱では、本体１に蓋体２がヒンジ部材３とピン４を介して開閉自在に連結されている。本体１、蓋体２及びヒンジ部材３は、例えば透明な合成樹脂材料からそれぞれ成形され、その後に組み立てられている。
【０００８】
本体１と蓋体２は、相互に合わさって石鹸Ｓの略半部をそれぞれ収納するようにされている。ヒンジ部Ａにおいて、ヒンジ部材３は本体１の中心線の方向に開閉自在とされ、更に蓋体２はヒンジ部材３に一体の軸部５とその先端のフランジ部６を介して回転自在に連結されている。そして、錠止部Ｂにおいて、蓋体２の下端には外方に若干膨出する可撓片７が下方に向けて設けられ、この可撓片７の内面には錠止突起８が内方に向けて形成されている。
【０００９】
本体１の外周面の一部には、ヒンジ部材３を支持するための一対の支持片１１、１２が、外方に向けて突設されている。また、錠止部Ｂにおいて、本体１の外周面には蓋体２の可撓片７が進入する凹部１３が形成され、この凹部１３の奥壁には蓋体２の錠止突起８と錠止する錠止突起１４が外方に向けて形成されている。
【００１０】
ヒンジ部材３は、本体１の支持片１１、１２にピン４を介して支持される側壁２１、２２と、これらの側壁２１、２２の上端縁同士を連結する天壁２３と、側壁２１、２２の外端縁同士を連結する外壁２４と、側壁２１、２２の内端縁同士を連結する内壁２５とから構成されている。側壁２１、２２の外面は例えば段付とされ、側壁２１、２２の上部の外面と支持片１１、１２の外面とで略同一平面が形成され、側壁２１、２２の下部の外面は支持片１１、１２の内面に摺接されている。
【００１１】
ヒンジ部材３の内壁２５の上下方向の長さは、側壁２１、２２の上下方向の長さの略半分とされ、内壁２５と本体１との干渉が防止されている。内壁２５の下部には、下方を開口として蓋体２の軸部５を受け入れる溝部２６が形成されている。溝部２６の左右方向の幅は蓋体２の軸部５の外径よりも稍々小さくされ、フランジ部６を先端に有する軸部５が溝部２６に圧入されている。従って、軸部５の溝部２６への圧入によって軸部５の下方への脱落が防止され、軸部５の先端のフランジ部６によって軸部５の軸線方向への離脱が防止されている。
【００１２】
そして、蓋体２の外面とフランジ部６の内面との間隔はヒンジ部材３の内壁２５の厚さとほぼ等しくされ、蓋体２とヒンジ部材３の間のがたつきが防止されている。また、ヒンジ部材３の下端部３ａは、ヒンジ部材３が約９０度開いた際に蓋体２の外周面に当接され、ヒンジ部材３の約９０度以上の回転が規制されている。
【００１３】
この石鹸箱を組み立てる際には、本体１の支持片１１、１２の内側にヒンジ部材３の側壁２１、２２を配置し、本体１の支持片１１、１２とヒンジ部材３の側壁２１、２２にそれぞれ形成した図示しない孔部にピン４を挿通する。そして、ヒンジ部材３の溝部２６に下方から蓋体２の軸部５を押し込む。これにより図５に示すように、蓋体２は矢印Ｃ方向に開閉自在、かつ矢印Ｄ方向に回転自在に本体１と一体になる。
【００１４】
既に収納してある石鹸Ｓを使用する際には、蓋体２の可撓片７を外方へ撓ませ、蓋体２の錠止突起８と本体１の錠止突起１４との錠止を解除し、図６に示すように蓋体２を開く。このとき、ヒンジ部材３は蓋体２に従動してピン４を中心に回転し、図７に示すようにヒンジ部材３の回転はその下端部３ａが本体１の外周面に当接した時点で停止する。
【００１５】
ここで、石鹸Ｓを使い易くするためには、石鹸Ｓを本体１から取り出し、蓋体２を軸部５の軸線を中心に１８０度回転し、この反転した蓋体２を本体１に重ね合わせる。そして、図８、図９に示すように反転した蓋体２の内部に石鹸Ｓを収納する。
【００１６】
この実施の形態では、本体１にヒンジ部材３をピン４を介して開閉自在に設け、ヒンジ部材３に蓋体２を軸部５を介して回転自在に連結したので、蓋体２を本体１から分離することはない。また、蓋体２を軸部５の軸線を中心に反転することができるので、反転した蓋体２を本体１の上に重ね合わせ、その蓋体２の上に石鹸Ｓを載置することができる。
【００１７】
また、ヒンジ部材３は本体１に別体のピン４を介して支持したが、このピン４をヒンジ部材３に一体化することもできる。即ち、ヒンジ部材３の側壁２１、２２にピン部を一体にそれぞれ設け、これらのピン部を支持片１１、１２の孔部にそれぞれ嵌合するように構成することもできる。
【図面の簡単な説明】
【００１８】
【図１】実施の形態の外観斜視図である。
【図２】縦断面図である。
【図３】ヒンジ部の拡大図である。
【図４】錠止部の拡大図である。
【図５】蓋体を開いた状態の斜視図である。
【図６】使用状態の断面図である。
【図７】ヒンジ部材の作用説明図である。
【図８】他の使用状態の断面図である。
【図９】他の使用状態の斜視図である。
【符号の説明】
【００１９】
１  本体
２  蓋体
３  ヒンジ部材
４  ピン
５  軸部
６  フランジ部
１１、１２  支持片
２１、２２  側壁
２３  天壁
２４  外壁
２５  内壁
２６  溝部
Ａ  ヒンジ部
Ｂ  錠止部
【図１】
2008150120.tif 000003
【図２】
2008150120.tif 000004
【図３】
2008150120.tif 000005
【図４】
2008150120.tif 000006
【図５】
2008150120.tif 000007
【図６】
2008150120.tif 000008
【図７】
2008150120.tif 000009
【図８】
2008150120.tif 000010
【図９】
2008150120.tif 000011